(57)【要約】【課題】簡易な構成で部屋全体を明るく照らすことができる照明装置を提供する。【解決手段】本発明にかかる照明装置１は、天井側に配置される底板９と、表面にＬＥＤ１３ａ、１３ｂを装着した複数のＬＥＤ基板１３と、各ＬＥＤ基板１３の熱を放出する放熱部材１１と、天井側の電源５に接続されるソケット７とを備え、天井３に取り付ける照明装置であって、ＬＥＤ基板１３は円形状に並べて配置してあり、各ＬＥＤ基板１３の表面がＬＥＤ基板１３を並べた円の外側を向いて上下に傾斜している。【選択図】図１
2014006996.tif 000002
【特許請求の範囲】
【請求項１】
天井側に配置される底板と、表面にＬＥＤを装着した複数のＬＥＤ基板と、各ＬＥＤ基板の熱を放出する放熱部材と、天井側の電源に接続されるソケットとを備え、天井に取り付ける照明装置であって、ＬＥＤ基板は円形状に並べて配置してあり、各ＬＥＤ基板の表面がＬＥＤ基板を並べた円の外側を向いて上下に傾斜していることを特徴とする照明装置。
【請求項２】
放熱部材は各ＬＥＤ基板の裏面に接触して載置するＬＥＤ基板載置部と、ＬＥＤ基板を配列した円の外側に向けてフィンを突設した外周側放熱部と、外周側放熱部よりも内周側で上方に向けてフィンを突設した内周側放熱部とを備えることを特徴とする請求項１に記載の照明装置。
【請求項３】
各放熱部材のＬＥＤ基板載置部は、ＬＥＤ基板を配列した円の外側に向けて上下に傾斜してあり、ＬＥＤ基板を放熱部材の載置部に載置することによりＬＥＤ基板の表面が傾斜することを特徴とする請求項２に記載の照明装置。
【請求項４】
ＬＥＤ基板表面の傾斜角度は、水平面に対して１０度〜３０度としてあることを特徴とする請求項３に記載の照明装置。
【発明の詳細な説明】
【技術分野】
【０００１】
本発明は、天井に取り付けるいわゆるシーリングライトとしての照明装置に関する。
【背景技術】
【０００２】
この種の従来技術として、特許文献１には、表面にＬＥＤ（発光ダイオード）を取り付けたＬＥＤ基板を有する照明装置が開示されている。
この特許文献１の照明装置は、ＬＥＤ基板は表面を真下に向けて取り付けてある。
【先行技術文献】
【特許文献】
【０００３】
【特許文献１】特開２０１１−１２９４２４号公報
【発明の概要】
【発明が解決しようとする課題】
【０００４】
しかしながら、一般にＬＥＤは配光が狭く、例えば約１２０度であり、光の照射範囲が限られている為、ＬＥＤを真下に向けて取り付けた場合には、真下は明るくなるが、部屋の隅や壁側には十分な光が照射できず、真下に比較して暗くなるという問題があった。
【０００５】
本発明は、上記事情に鑑みなされたものであり、簡易な構成で部屋全体を明るく照らすことができる照明装置を提供することを目的とする。
【課題を解決するための手段】
【０００６】
前記課題を解決するために、請求項１に記載された発明は、天井側に配置される底板と、表面にＬＥＤを装着した複数のＬＥＤ基板と、各ＬＥＤ基板の熱を放出する放熱部材と、天井側の電源に接続されるソケットとを備え、天井に取り付ける照明装置であって、ＬＥＤ基板は円形状に並べて配置してあり、各ＬＥＤ基板の表面がＬＥＤ基板を並べた円の外側を向いて上下に傾斜していることを特徴とする照明装置である。
【０００７】
請求項２に記載された発明は、請求項１に記載の発明において、放熱部材は各ＬＥＤ基板の裏面に接触して載置するＬＥＤ基板載置部と、ＬＥＤ基板を配列した円の外側に向けてフィンを突設した外周側放熱部と、外周側放熱部よりも内周側で上方に向けてフィンを突設した内周側放熱部とを備えることを特徴とする。
【０００８】
請求項３に記載された発明は、請求項２に記載の発明において、各放熱部材のＬＥＤ基板載置部は、ＬＥＤ基板を配列した円の外側に向けて上下に傾斜してあり、ＬＥＤ基板を放熱部材の載置部に載置することによりＬＥＤ基板の表面が傾斜することを特徴とする。
【０００９】
請求項４に記載された発明は、請求項３に記載の発明において、ＬＥＤ基板表面の傾斜角度は、水平面に対して１０度〜３０度としてあることを特徴とする。
【発明の効果】
【００１０】
請求項１に記載された発明によれば、円状に配列したＬＥＤ基板の表面を円の外側に向けて上下に傾斜して配置しているから、ＬＥＤ基板から照射するＬＥＤ光の照射範囲を広くすることができ、部屋全体を明るく照らすことができる。
【００１１】
請求項２に記載された発明によれば、請求項１に記載の作用効果を奏すると共に、ＬＥＤの熱を放熱する放熱部材は、外周側放熱部と内周側放熱部とで異なる向きのフィンを設けているから、異なる向きに分散して放熱でき、放熱効率を高めることができる。これにより、ＬＥＤの発光効率を向上できる。
【００１２】
請求項３に記載された発明によれば、請求項２に記載の作用効果を奏すると共に、ＬＥＤ基板を放熱部材の載置部に載置して取り付けるだけで、ＬＥＤ基板の表面を傾斜できるから、製造が容易である。
【００１３】
請求項４に記載された発明によれば、請求項３に記載の作用効果を奏すると共に、照明装置の真下から略水平方向に亘って光を照射できるので、部屋の壁側から中央に至る部屋全体を明暗の差を少なくして照らすことができる。
【図面の簡単な説明】
【００１４】
【図１】第１実施の形態に係る照明装置の縦断面図である。
【図２】図１に示す照明装置において、外側カバーを外した状態を下側から見た平面図である。
【図３】図１に示す照明装置において、外側カバーを外した状態を下側から見た斜視図である。
【図４】放熱部材の図であり、（ａ）は側面図、（ｂ）は正面図である。
【図５】ＬＥＤ基板を放熱部材に取り付けた状態を示す平面図である。
【図６】第２実施の形態に係る照明装置であって、ＬＥＤ基板を載置した放熱部材の縦断面図である。
【発明を実施するための形態】
【００１５】
以下に、添付図面の図１〜５を参照して本発明の第１実施の形態について説明する。図１示すように、第１実施形態にかかる照明装置１は、天井３の電源５にソケット７を接続して天井に取り付けるシーリングライトであり、底板９と、放熱部材１１と、ＬＥＤ基板１３と、内カバー１５と、外カバー１７とを備えている。この第１実施の形態にかかる照明装置１は、１２畳用の照明装置である。
【００１６】
底板９は円盤状に形成した金属板であり、底板９の下面に放熱部材１１がねじ固定されている。底板９の周縁には外カバー１７を係止する被係止部１９が形成されている。底板９の中央部には内カバー１５を固定する内側支持部材２１が設けてあり、内カバー１５の内周縁部をねじ２３で内側支持部材２１に固定してある。また、図３に示すように、底板９の外周縁側には外側支持部材２２が設けてあり、内カバー１５の外周縁部をねじで外側支持部材２２に固定してある。
【００１７】
放熱部材１１は複数個を底板の下面に円状に間隔をあけて並べて配置してあり、本実施の形態では１０個を周方向に等間隔に配置している。各放熱部材１１は、アルミニウム製であり、図１及び図４に示すように、各ＬＥＤ基板１３の裏面に接触して載置する載置部２５と、載置部２５の上側に設けた外周側放熱部２７及び内周側放熱部２９とを一体に形成している。載置部２５は放熱部材１１を並べた円の外側に載置面２５ａを向けて上下に傾斜している。尚、図４では放熱部材１１は照明装置を天井に取り付けた状態とは上下逆さにして示している。
【００１８】
図１及び図２に示すように、載置部２５の傾斜角度Ｒは、好ましくは、水平面に対して１０度〜３０度である。この範囲であれば、ＬＥＤ基板１３から照射するＬＥＤ光の照射範囲を真下から水平方向に亘って広くすることができ、部屋全体を明るく照らすことができる。
【００１９】
外周側放熱部２７は、円状に配列した放熱部材１１の円の外周に向けて突設した複数のフィン２７ａを備え、各フィン２７ａは水平方向に突設しており且つ上下に間隔をあけて配置している。
内周側放熱部２９は、外周側放熱部２７の内周側で載置部２５から上側に向けて突設した複数のフィン２９ａを備え、各フィン２９ａは垂直方向に設け、前記円の半径方向に間隔をあけて配置している。
【００２０】
図５に示すように、ＬＥＤ基板１３は、表面に複数のＬＥＤを搭載しており、ひし形状に配列した外周側ＬＥＤ１３ａとひし形の中央に配置した中央に配置した中央ＬＥＤ１３ｂとから構成されている。
ＬＥＤ基板１３は裏面を放熱部材１１の載置部２５に当接して載置してあり、載置部２５の傾斜に沿って傾斜して設けてある。
【００２１】
図２及び図３に示すように、内カバー１５は、外周側部１５ａをＬＥＤ基板１３の傾斜に沿って傾斜していると共に外周側部１５ａの内周側にある内周側部１５ｂを水平な平面にしている。外周側部１５ａには、ＬＥＤ基板１３に対応する位置に挿通孔３１が形成してあり、挿通孔３１からＬＥＤの照明光を照射するようになっている。
外周側部１５ａの外周縁は放熱部材１１の外周側端と略一致した寸法に設けてある。
外周側部１５ａと底板９との間には隙間Ｓが設けてあり、放熱部材１１に対する通気が図られている。
【００２２】
次に、本実施の形態に係る照明装置１の使用方法、作用効果について説明する。使用時には、図１に示すように、天井３の電源５に照明装置１のソケット７を装着して天井３に取り付ける。
本実施の形態にかかる照明装置１によれば、円状に配列したＬＥＤ基板１３の表面を円の外側に向けて上下に傾斜して配置しているから、ＬＥＤ基板１３から照射するＬＥＤ光の照射範囲を広くすることができ、壁や隅に至る部屋全体を明るく照らすことができる。
【００２３】
ＬＥＤ１３ａ、１３ｂの熱を放熱する放熱部材１１は、外周側放熱部２７と内周側放熱部２９とで異なる向きのフィン２７ａ、２９ａを設けているから、異なる向きに分散して放熱でき、放熱効率を高めることができる。これにより、ＬＥＤの発光効率を向上できる。
【００２４】
ＬＥＤ基板１３を放熱部材１１の載置部２５に載置して取り付けるだけで、ＬＥＤ基板１３の表面を傾斜できるから、製造が容易である。
【００２５】
ＬＥＤ基板表面１３の傾斜角度Ｒは、水平面に対して１０度〜３０度としてあるから、照明装置１の真下から略水平方向に亘って広く光を照射できるので、部屋の壁側から中央に至る部屋全体を明暗の差を少なくして照らすことができる。
【００２６】
以下に本発明の他の実施の形態を説明するが、以下に説明する実施の形態において、上述の第１実施の形態と同一の作用効果を奏する部分には同一の符合を付することにより、その部分の説明を省略し、以下の説明では第１実施の形態と主に異なる点を説明する。
図６に本発明の第２実施の形態を示す。第２実施の形態では、放熱部材１１の形状が異なっており、ＬＥＤ基板１３の載置部２５ａと、底板９に固定する固定部３３と、載置部２５ａと固定部３３を連結する連結部３５とから構成としている。
この第２実施の形態では、例えば、８畳、１０畳用等の部屋用であり、第１実施の形態よりもＬＥＤの使用電力が小さい為にＬＥＤ基板１３の発熱量が少ないので、第１実施の形態と異なり、フィン２７ａ、２９ａを設けないで放熱部材１１の形状を簡単にしたものである。
【００２７】
この第２実施の形態においても、放熱部材１１による放熱の作用効果を除いて、第１実施の形態と同様の作用効果を得ることができる。
【００２８】
本発明は、前述した実施形態に限定されず、その要旨を逸脱しない範囲で種々変形可能である。
例えば、ＬＥＤ基板１３に配置するＬＥＤ１３ａ、１３ｂの配列は、円形や四角形状に配置しても良く、制限されない。
放熱部材１１及びＬＥＤ基板１３の数は制限がなく、円形状に配置するものであれば、いくつでも良い。
【符号の説明】
【００２９】
１    照明装置
３    天井
９    底板
１１  放熱部材
１３  ＬＥＤ基板
２５  載置部
２７  外周側放熱部
２９  内周側放熱部
【図１】
2014006996.tif 000003
【図２】
2014006996.tif 000004
【図３】
2014006996.tif 000005
【図４】
2014006996.tif 000006
【図５】
2014006996.tif 000007
【図６】
2014006996.tif 000008